【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
ドア開口部または階段開口部の開口部に取り付けることが意図される子供安全ゲートであって、互いに接続される２つ以上のパネルと、前記開口部の一方側に取り付けることが意図される取付具と、前記開口部の反対側に取り付けることが意図される閉止装置とを備え、前記パネルのうち少なくとも１つは前記取付具における第１の回転軸を中心に回転することができ、前記パネルのうち少なくとも２つは、他方のパネルに配置される受け部品と係合することが意図される一方のパネルに掴み部品を介して互いに接続されて、前記パネルのうち少なくとも１つは、２つのパネル部品を含み、前記掴み部品は一方のパネル部品上に配置され、前記受け部品は前記他方のパネル部品上に配置され、２つのパネル部品は互いに分離され、その後に合わせられる、子供安全ゲート。 
【請求項２】
前記２つのパネル部品は、堅固な接合部と接合される、または互いに相対的に移動するようにヒンジと接合される、請求項１に記載の子供安全ゲート。
【請求項３】
前記子供安全ゲートは、１つ以上の延長パネルをさらに備え、前記延長パネルは、前記パネル部品の間および／または前記端パネルの間に配置される、請求項１または２に記載の子供安全ゲート。
【請求項４】
掴み部品および受け部品は、パネルの縁部の全体に沿って延在する１つ以上のヒンジによって形成される、請求項１に記載の子供安全ゲート。 
【請求項５】
子供安全ゲートは、前記取付具に接続される第１の端パネルと、前記閉止装置に接続される第２の端パネルとをさらに備え、前記少なくとも１つのパネル部品は、前記取付具または前記閉止装置に面する終縁部を含む端パネルである、請求項１から４のいずれか１項に記載の子供安全ゲート。
【請求項６】
前記掴み部品および前記受け部品は、前記パネルおよび１つ以上の延長パネルが互いに挿入されることによって、前記掴み部品および前記受け部品が前記パネルの長手方向に互いに挿入されるように構成される、請求項１から５のいずれか１項に記載の子供安全ゲート。
【請求項７】
前記子供安全ゲートは、取付具と接続される第１の端パネルと、閉止装置と接続される第２の端パネルとをさらに備え、互いに接続される複数の延長パネルが端パネルの間に配置される、請求項５に記載の子供安全ゲート。 
【請求項８】
前記パネルの少なくとも１つは、パネル上部および／またはパネル底部を含む、またはパネル上部および／またはパネル底部に接続される、請求項１から７のいずれか１項に記載の子供安全ゲート。 
【請求項９】
前記パネル上部および／または前記パネル底部は、他のパネル上部および／または前記パネル底部に配置される受け部品に係合することが意図される挿入部品を含む、請求項８に記載の子供安全ゲート。 
【請求項１０】
前記挿入部品は、前記パネル部品または前記パネルの延長上に配置されて、前記受け部品は、前記挿入部品の側部に配置されて、前記挿入部品は、前記パネル部品または前記パネルの外方に面して、その一方で前記受け部品の前記開口部は前記パネル部品または前記パネルに面する、請求項９に記載の子供安全ゲート。 
【請求項１１】
前記挿入部品は、前記受け部品と係合することが可能な係止装置を含み、前記係止装置は解除機構を含む、請求項９または１０に記載の子供安全ゲート。
【請求項１２】
前記ヒンジは可撓性ヒンジであり、前記パネル部品および／または前記パネルにおいて押出し加工される、または組み込まれる、請求項１から１１のいずれか１項に記載の子供安全ゲート。 
【請求項１３】
前記ヒンジは、可撓性形状または膜である、請求項１２に記載の子供安全ゲート。
【請求項１４】
前記パネル部品およびこれらの間に配置される前記ヒンジは、一体的に押出し加工または型成形される、または前記パネルのうち少なくとも２つおよびこれらの間に配置される前記ヒンジは、一体的に押出し加工または型成形される、請求項１２または１３に記載の子供安全ゲート。
【請求項１５】
前記ヒンジは、可撓性ヒンジであって、２つの厚い端部を含み、前記パネル部品および／または前記パネルは、前記ヒンジの前記厚い端部が配置される溝または割れ目を含む、請求項１から１４のいずれか１項に記載の子供安全ゲート。
【請求項１６】
前記ヒンジは、可撓性形状または膜である、請求項１５に記載の子供安全ゲート。
【請求項１７】
前記ヒンジは、前記ヒンジにおける第２の回転軸を中心に回転することが可能な２つのヒンジ部品を含む回転ヒンジであって、前記ヒンジは、ばねを含む、請求項１から１４のいずれか１項に記載の子供安全ゲート。
【請求項１８】
前記ばねは、トーションばねである、請求項１７に記載の子供安全ゲート。
【請求項１９】
回転ヒンジは前記パネル上部の間および／または前記パネル底部の間に配置され、可撓性ヒンジが前記パネルの間および／または前記パネル部品の間に配置される、請求項１２から１６のいずれか１項に記載の子供安全ゲート。
【請求項２０】
前記掴み部品は、任意でヘッドまたは窪み部を有するピンとして構成され、前記受け部品は前記ピンが配置される第２の溝または窪み部として構成される、請求項１から１９のいずれか１項に記載の子供安全ゲート。
【請求項２１】
前記掴み部品はピンとして構成され、前記受け部品は前記ピンが配置されるピン穴として構成され、前記ピンおよび前記ピン穴は、前記パネル部品の内側において互いに対向して配置される、請求項１から２０のいずれか１項に記載の子供安全ゲート。
【請求項２２】
前記取付具は、前記開口部に取り付けることが意図される壁部品と、前記第１の端パネルに接続されるパネル部品とを含み、前記パネル部品は前記壁部品を中心に回転することができる、請求項１から２１のいずれか１項に記載の子供安全ゲート。
【請求項２３】
前記壁部品は、２つの第１の端部材と接続される第１の中央部材を含み、前記第１の中央部材は、前記パネル部品が配置される第３の溝を含む、請求項２２に記載の子供安全ゲート。
【請求項２４】
前記第３の溝は、筒部を含む、請求項２３に記載の子供安全ゲート。
【請求項２５】
前記パネル部品は、２つの第２の端部材に接続される第２の中央部材を含み、前記第２の中央部材および前記２つの第２の端部材は筒状である、請求項２３または２４に記載の子供安全ゲート。
【請求項２６】
前記第２の中央部材は、前記壁部品の外方に面する２つの平行な側部を含み、前記２つの第２の端部材の各々は、前記第２の中央部材上において２つの平行な側部の延長上に配置されるＵ字形状の側部を含み、これらの間に前記第１の端パネルが配置される、請求項２５に記載の子供安全ゲート。
【請求項２７】
前記第１の端パネルは、ガイド配置を含む前記パネル上部および／または前記パネル底部と接続されて、これによって前記第１の端パネルは前記パネル部品の内外に移動して、前記２つの第２の端部材は、前記ガイド配置を所定位置に保持することが可能な係止機構を含む、請求項２６に記載の子供安全ゲート。
【請求項２８】
前記閉止装置は、前記子供安全ゲートが閉じられた場合に前記第２の端パネルを壁部品に保持することが意図される安全機構または係止装置を含み、前記安全機構または前記係止装置は、前記子供安全ゲートを開くために動作させなければならない解除装置を含む、請求項１から２７のいずれか１項に記載の子供安全ゲート。
【請求項２９】
前記閉止装置は、前記子供安全ゲートが閉じられた場合に前記第２の端パネルが配置される長形の窪み部を有するハウジングを含む、請求項２８に記載の子供安全ゲート。